(57)【要約】【課題】オーディオデータ再生装置のディスプレイデバイスの起動と停止とを、煩わしい操作を利用者に強いることなく自動で切り換える。【解決手段】受光素子と、表示手段と、オーディオデータを再生する再生手段と、上記再生手段によるオーディオデータの再生に関わる情報を上記表示手段に表示させる手段であって、その表示の態様を上記受光素子が受光した光に応じて切り換える制御手段とを備えることを特徴とするオーディオデータ再生装置とする。【選択図】図２
2009003975.tif 000002
【特許請求の範囲】
【請求項１】
受光素子と、
表示手段と、
オーディオデータを再生する再生手段と、
上記再生手段によるオーディオデータの再生に関わる情報を上記表示手段に表示させる手段であって、その表示の態様を上記受光素子が受光した光に応じて切り換える制御手段と、
を備えることを特徴とするオーディオデータ再生装置。
【請求項２】
前記受光素子が受光した光の輝度を特定する輝度特定手段、
をさらに備え、
前記制御手段は、
前記特定した輝度の強さに応じて前記表示の態様を切り換える、
ことを特徴とする請求項１に記載のオーディオデータ再生装置。
【請求項３】
複数の前記受光素子を配列した撮像手段と、
上記撮像手段をなす受光素子の各々に、赤、緑、または青の各々の波長に相当する光をそれぞれ受光させる導光手段と、
をさらに備え、
前記輝度特定手段は、
前記受光素子の各々が受光した光を基に画像データを生成し、生成した画像データを所定の関数に作用させることにより前記輝度を特定する、
ことを特徴とする請求項２に記載のオーディオデータ再生装置。
【請求項４】
前記表示手段は、
画素と対応する各駆動電極を配列した電極基板により液晶を挟み込んで封止した液晶表示パネルと、
上記液晶表示パネルに向けて光を照射するバックライトと、
を有し、
前記制御手段は、
前記特定した輝度が閾値よりも小さいとき、前記バックライトによる光の照射を停止させる、
ことを特徴とする請求項２または３に記載のオーディオデータ再生装置。
【請求項５】
前記表示手段は、
画素と対応する各駆動電極を配列した電極基板により液晶を挟み込んで封止した液晶表示パネルと、
上記液晶表示パネルに向けて光を照射するバックライトと、
を有し、
前記制御手段は、
前記バックライトから照射する光の強さを前記特定した輝度の強さに応じて切り換える、
ことを特徴とする請求項２または３に記載のオーディオデータ再生装置。
【請求項６】
前記表示手段は、
画素と対応する各駆動電極を配列した電極基板により液晶を挟み込んで封止した液晶表示パネルと、
異なる波長の光を上記液晶パネルに向けてそれぞれ照射する複数のバックライトと、
を有し、
前記制御手段は、
前記複数のバックライトの各々から照射する光の強さを前記受光素子によって受光した光の色相に応じて個別に切り換える、
ことを特徴とする請求項２または３に記載のオーディオデータ再生装置。
【請求項７】
前記制御手段は、
前記液晶表示パネルの一部分に向けて前記一又は複数のバックライトから照射する光の強さを前記特定した輝度の強さに応じて切り換える、
ことを特徴とする請求項４または５に記載のオーディオデータ再生装置。
【発明の詳細な説明】
【技術分野】
【０００１】
本発明は、オーディオデータ再生装置に関する。
【背景技術】
【０００２】
ＣＤ（Compact Disc）をリッピングしたオーディオデータファイルやネットワーク経由でダウンロードしたオーディオデータファイルを再生する携帯型音楽再生端末は、筐体の表面に数インチ程度のディスプレイデバイスを搭載し、楽曲のトラック番号などの各種情報をそのディスプレイデバイスに表示させるようになっている。この種のディスプレイデバイスの多くには、透過型の液晶パネルが組み込まれている。透過型の液晶パネルは、液晶を、その配向状態を切り換える各駆動電極を配した一対の電極基板によって挟み込み封止した構造をなしており、バックライトから液晶に向けて光を照射させた状態で駆動電極を個別に制御することにより、その表示面に各種情報を表示させる。液晶パネルに向けて光を照射するバックライトは、他の素子よりも多くの電力を消費するため、その消費電力を抑える種々の仕組みが提案されている。例えば、特許文献１に開示された電子機器は、操作子の操作によって待機モードと動作モードとを切り替え可能とし、待機モードから動作モードへのモード遷移が行われたときにのみディスプレイデバイスのバックライトを照射させるようになっている。
【特許文献１】特開２０００−２４３１３１号
【発明の開示】
【発明が解決しようとする課題】
【０００３】
しかしながら、特許文献１に開示された仕組みによると、待機モードで楽曲を再生している間にその楽曲のトラック番号などを確認したい場合でも、待機モードになっている限りはその情報がディスプレイデバイスに表示されない。このため、利用者は、モードを待機モードから動作モードへ切り換えるための煩わしい操作を強いられるという問題がある。
【０００４】
本発明は、このような背景の下に案出されたものであり、携帯型音楽再生端末などのオーディオデータ再生装置のディスプレイデバイスの起動と停止とを、煩わしい操作を利用者に強いることなく自動で切り換えられるような仕組みを提供することを目的とする。
【課題を解決するための手段】
【０００５】
本発明の好適な態様であるオーディオデータ再生装置は、受光素子と、表示手段と、オーディオデータを再生する再生手段と、再生手段によるオーディオデータの再生に関わる情報を表示手段に表示させる手段であって、その表示の態様を受光素子が受光した光に応じて切り換える制御手段とを備える。
【０００６】
また、受光素子が受光した光の輝度を特定する輝度特定手段をさらに備え、制御手段は、特定した輝度の強さに応じて表示の態様を切り換えるようにしてもよい。
【０００７】
また、複数の受光素子を配列した撮像手段と、撮像手段をなす受光素子の各々に、赤、緑、または青の各々の波長に相当する光をそれぞれ受光させる導光手段とをさらに備え、輝度特定手段は、受光素子の各々が受光した光を基に画像データを生成し、生成した画像データを所定の関数に作用させることにより輝度を特定するようにしてもよい。
【０００８】
また、表示手段は、画素と対応する各駆動電極を配列した電極基板により液晶を挟み込んで封止した液晶表示パネルと、液晶表示パネルに向けて光を照射するバックライトとを有し、制御手段は、特定した輝度が閾値よりも小さいとき、バックライトによる光の照射を停止させるようにしてもよい。
【０００９】
また、表示手段は、画素と対応する各駆動電極を配列した電極基板により液晶を挟み込んで封止した液晶表示パネルと、液晶表示パネルに向けて光を照射するバックライトとを有し、制御手段は、バックライトから照射する光の強さを特定した輝度の強さに応じて切り換えるようにしてもよい。
【００１０】
また、表示手段は、画素と対応する各駆動電極を配列した電極基板により液晶を挟み込んで封止した液晶表示パネルと、異なる波長の光を液晶パネルに向けてそれぞれ照射する複数のバックライトとを有し、制御手段は、複数のバックライトの各々から照射する光の強さを特定した輝度の強さに応じて個別に切り換えるようにしてもよい。
【００１１】
また、制御手段は、液晶表示パネルの一部分に向けて一又は複数のバックライトから照射する光の強さを受光素子によって受光した光の色相に応じて切り換えるようにしてもよい。
【発明の効果】
【００１２】
本発明によると、オーディオデータ再生装置のディスプレイデバイスの起動と停止とを、煩わしい操作を利用者に強いることなく自動で切り換えることができる。
【発明を実施するための最良の形態】
【００１３】
（発明の実施の形態）
本発明の実施形態について、以下、図面を参照しながら説明する。本実施形態の特徴は、衣服のポケットやかばんなどのように外光が遮断されるような場所に携帯型音楽再生端末が収納されたか否かを端末のカメラが撮像した画像から特定し、そのような状態にある間はＬＣＤへの情報の表示を停止させるようにした点である。
【００１４】
図１は、本実施形態にかかる携帯型音楽再生端末１０（「オーディオデータ再生装置」に相当）のハードウェア構成を示す図である。図１に示すように、この携帯型音楽再生端末１０は、バッテリ１１、操作子１２、ＬＣＤ（Liquid Crystal Display:「表示手段」の一部に相当）１３、ＬＣＤコントローラ（「表示手段」の一部に相当）１４、通信インターフェース１５、カメラ１６、画像処理モジュール（「輝度特定手段」に相当）１７、ハードディスク１８、ＣＰＵ（Central Processing Unit:「再生手段」、「制御手段」に相当）１９、ＳＤＲＡＭ（Synchronous Dynamic Random Access Memory）２０、ＤＡＣ(Digital to Analog Converter)２１、アンプ２２、オーディオ信号インターフェース２３を備える。これらの各部のうち、バッテリ１１、ＬＣＤコントローラ１４、画像処理モジュール１７、ハードディスク１８、ＣＰＵ１９、ＳＤＲＡＭ２０、ＤＡＣ２１、アンプ２２は、利用者の掌に収まるサイズの筐体（図示せず）に内蔵され、残りの各部は、その筐体に設けた開口部から外部に向けて一部露出されている。
【００１５】
バッテリ１１は各部へ電力を供給する。操作子１２は、各種キーを有し、それらの各々は筐体の開口部から外部へ露出されている。この操作子１２をなすキーは、電源のオンとオフを切り換える起動キー、トラックのスキップを指示するスキップキー、音量を調節するボリュームキーなどを含む。
【００１６】
ＬＣＤ１３は、筐体の開口部に嵌め込まれた液晶パネルと照射面をその裏面に向けて固定されたバックライトとを有する。バックライトは、光源、導光板、反射板などを有し、所定の波長の光を液晶パネルの裏面に向けて照射する。液晶パネルは、各々が１つの画素と対応する駆動電極を配列した一対の電極基板によって液晶を挟み込み、その液晶を封止した部材である。ＬＣＤコントローラ１４は、ＣＰＵ１９による制御の下、液晶パネルの駆動電極への電圧の印加を通じて液晶の配向状態を遷移させることにより、画素のオンとオフを制御する。液晶パネルの裏面への光の照射と画素ごとのオンとオフの制御とが併せて行われることにより、ＬＣＤ１３の液晶パネルに各種情報が表示される。また、ＬＣＤコントローラ１４は、バックライトへの電力の供給を通じて液晶パネルへ照射する光の輝度を調整することにより、表示の明るさを制御することもできる。
【００１７】
通信インターフェース１５は、ＣＰＵ１９による制御の下、ＵＳＢ（Universal Serial Bus）ケーブルを介して接続されるパーソナルコンピュータ（図示せず）からオーディオデータファイルを取得する。この通信インターフェース１５から取得されるオーディオデータファイルは、ＭＰ３（MPEG-1 Audio Layer-3）やＷＭＡ（Windows（登録商標） Media Audio）などといった、圧縮オーディオデータを含むオーディオデータファイルである。
【００１８】
カメラ１６は、レンズ、分光フィルタ（「導光手段」に相当）、２次元ＣＣＤ（Charge Coupled Device:「受光素子」に相当）イメージセンサ（「撮像手段」に相当）などを有する。カメラ１６は、操作子１２の起動キーの操作によって電源のオンが指示されると、所定の撮像領域からレンズを経由して各ＣＣＤへ入射する光の、レッド（Ｒ）、グリーン（Ｇ）、ブルー（Ｂ）に相当する成分を光電変換し、その変換により得た画像信号を画像処理モジュール１７へ供給する。光電変換および画像信号の供給は所定のクロックサイクルに従って行われ、例えば、一秒あたり３０フレーム分に相当する画像信号が画像処理モジュール１７へ順次供給される。
【００１９】
画像処理モジュール１７は、画像処理用に設計されたＤＳＰ（Digital Signal Processor）である。画像処理モジュール１７は、１フレーム分の画像信号がカメラ１６から供給されるたび、その画像信号が示す各ＣＣＤの光量を量子化して画像データを取得する。この画像データは、各ＣＣＤの配置位置と対応する画素の濃度を、例えば、ＲＧＢ２５６階調で表すビットマップデータである。後の動作説明の項で詳述するように、この画像処理モジュール１７は、画像データを所定の変換関数に作用させることにより、各画素ごとの輝度を特定する。そして、それらの輝度の平均が閾値を上回っている間だけＬＣＤ１３を起動させるような制御がなされる。
【００２０】
ハードディスク１８は、コーデックやＵＳＢドライバなどの各種プログラムを記憶するとともに、通信インターフェース１５から取得されるオーディオデータファイルを記憶する。ＣＰＵ１９は、ＳＤＲＡＭ２０をワークエリアとして利用しつつハードディスク１８に記憶されたプログラムを実行する。操作子１２の起動キーの操作によって電源のオンが指示されると、ＣＰＵ１９は、ハードディスク１８からオーディオデータファイルを読み出し、そのオーディオデータを伸張して得たデジタル信号をＤＡＣ２１へ供給する。ＣＰＵ１９からＤＡＣ２１へ供給されたデジタル信号は、アナログ信号に変換され、アンプ２２による増幅を経た後に、オーディオ信号インターフェース２３からヘッドホン２４へ出力される。また、ＣＰＵ１９は、画像データを基に特定した輝度の平均と閾値との大小関係を比較し、輝度の平均が閾値以上である間、ＬＣＤコントローラ１４へＬＣＤ１３の起動を指示する信号を供給する。
【００２１】
図２は、本実施形態に特徴的な動作を示すフローチャートである。図２に示す一連の処理は、カメラ１６から画像信号の供給を受ける画像処理モジュール１７が画像データを取得するたびに行われる。画像データを取得した画像処理モジュール１７は（Ｓ１００：Ｙｅｓ）、その画像データをなす各画素の輝度の平均値を特定する（Ｓ１１０）。このステップＳ１１０における平均値の特定は、画像データをなす各画素のＲＧＢの濃度値を下記の算出式（１）に作用させて画素ごとの輝度をまず算出した後、それらの平均を算出することによってなされる。なお、この算出式（１）のＹは輝度であり、Ｒ、Ｇ、Ｂは、レッド、グリーン、ブルーの各々の濃度である。
［数１］
Ｙ＝０．２９９＊Ｒ＋０．５８７＊Ｇ＋０．１１４＊Ｂ…（１）
【００２２】
ステップＳ１１０にて輝度の平均値が特定されると、ＣＰＵ１９は、その平均値が予め設定された閾値以上であるか否かを判断する（Ｓ１２０）。この閾値は、衣服のポケットやかばんの中など、利用者の多くが携帯型音楽再生端末１０を収容するであろう複数の環境を想定し、各々の環境下でカメラ１６を起動させて求めた輝度の実測値に基づいて割り出される。端末を収容する環境を想定する際は、衣服の胸ポケットなど、外光が完全には遮断されないような状況も加味されることが望ましい。
【００２３】
ステップＳ１２０にて、輝度の平均値が閾値以上であると判断したとき（Ｓ１２０：Ｙｅｓ）、ＣＰＵ１９は、ＬＣＤ１３の起動を指示する信号をＬＣＤコントローラ１４へ供給する（Ｓ１３０）。信号の供給を受けたＬＣＤコントローラ１４は、ＬＣＤ１３のバックライトへバッテリ１１の電力を供給するとともに、液晶パネルの駆動電極へ電圧を印加する。この結果、バックライトが点灯して液晶パネルの裏面へ光が照射され、液晶パネルに情報が表示される。一方、ステップＳ１２０にて、輝度の平均値が閾値よりも小さいと判断したとき（Ｓ１２０：Ｎｏ）、ＣＰＵ１９は、ＬＣＤ１３の停止を指示する信号をＬＣＤコントローラ１４へ供給する（Ｓ１４０）。信号の供給を受けたＬＣＤコントローラ１４は、ＬＣＤ１３のバックライトへの電力の供給を遮断する。この結果、バックライトが消灯し、液晶パネルに情報が表示されなくなる。
【００２４】
以上説明した本実施形態にかかる携帯型音楽再生端末１０は、カメラ１６と画像処理モジュール１７とを搭載し、カメラ１６の撮像内容を示す画像データを画像処理モジュール１７が取得すると、その画像データを基に特定した輝度の平均値と閾値との大小関係が判断される。そして、輝度の平均値が閾値以上である間はＬＣＤ１３の液晶パネルに情報を表示させる一方で、閾値より小さい間は情報の表示を停止させる。これにより、衣服のポケットやかばんなどのように外光が遮断されるような場所に携帯型音楽再生端末１０が収納されるたびにＬＣＤ１３への情報の表示が自動的に停止され、ＬＣＤ１３の情報が参照されない間もその表示がされ続けることがなくなる。その結果、ＬＣＤ１３のバックライトの点灯に伴う電力の無駄な消費を最小限に抑えることができる。また、ポケットやかばんなどから携帯型音楽再生端末１０が取り出されるとＬＣＤ１３へ情報が自動的に表示されるため、利用者は、情報を表示させるために煩わしい操作を行う必要がない。
【００２５】
（他の実施の形態）
本発明は、上述の実施形態に限定されることなく、種々の変形実施が可能である。
【００２６】
上記実施形態にかかる携帯型音楽再生端末１０は、画像データを基に特定した輝度の平均値と閾値との大小関係に応じて、ＬＣＤ１３の起動と停止を２値的に切り換えるようになっている。これに対し、輝度の平均値の大きさに応じてＬＣＤ１３の表示の明るさを調整するようにしてもよい。一般に、昼間の野外などの明るい場所は、屋内などの比較的暗い場所よりもＬＣＤ１３の表示を視認しにくい。よって、輝度の平均値が大きいほどＬＣＤ１３のバックライトの光を強くし、その平均値が小さいほど光を弱くする、といった制御を行うとよい。
【００２７】
また、輝度の平均値に応じてＬＣＤ１３の表示の明るさを切り換えるのではなく、その色相を切り換えるようにしてもよい。朝方や夕方の野外のように赤みの強い光の下では、ＬＣＤ１３の表示を赤の補色のシアンにするとより見易くなる。よって、例えば、画像処理モジュール１７が取得した画像データを解析して各画素の色相を特定し、赤みの強い画素の割合が多いほどＬＣＤ１３のバックライトから照射する光をシアンに近づける、といった制御を行うとよい。バックライトから照射する光の色相の切り換えは、赤、緑、青に相当する波長の光を液晶パネルに向けてそれぞれ照射する３つのバックライトを設け、それらの各々から照射する光の強さの個別の制御を通じて各色の光の割合を切り換えることによって、実現できる。
【００２８】
また、輝度の平均値が閾値より小さいときに、ＬＣＤ１３の液晶パネルの表示領域のすべての表示を停止するのではなく、その一部分のみの表示を停止するようにしてもよい。例えば、バッテリ１１の残量を示す標識は輝度の平均値と閾値の大小関係の如何に関わらず表示させた状態にしておく一方で、輝度の平均値が閾値よりも小さくなったときに残りの表示領域の表示を停止させるようにしてもよい。液晶パネルの表示領域ごとの表示の起動と停止の切り換えは、それらの領域の各々に向けて光の照射の向きを合わせた複数のバックライトを設け、一部のバックライトへの電力の供給を停止し得るようにすることによって実現できる。
【００２９】
上記実施形態にかかる携帯型音楽再生端末１０は、カメラ１６と画像処理モジュール１７とを搭載し、カメラ１６の撮像内容である画像データを画像処理モジュール１７が取得し、その画像データを基に特定した輝度の平均値と閾値との大小関係に応じて、ＬＣＤ１３の起動と停止が切り換えられる。これに対し、カメラ１６および画像処理モジュール１７の代わりに、照度センサ（「受光素子」に相当）を搭載し、その照度センサにより検出された照度と閾値との大小関係に応じて、ＬＣＤ１３の起動と停止とを切り換えるようにしてもよい。
【００３０】
上記実施形態にかかる携帯型音楽再生端末１０は、筐体に設けた開口部からカメラ１６を露出させた構造になっている。これに対し、図３に示すように、ヘッドホン２４にカメラ１６を搭載し、カメラ１６のＣＣＤの光電変換により得られた画像信号を、ヘッドホン２４と筐体とを繋ぐケーブルの信号線を介して画像処理モジュール１７へ供給するようにしてもよい。この変形例によると、衣服のポケットやかばんからヘッドホン２４が取り出されたことを検出し、ＬＣＤ１３に情報を自動的に表示させることができる。また、筐体とヘッドホン２４とを繋ぐケーブルにリモコンが設けられているタイプの携帯型音楽再生端末１０の場合、そのリモコンにカメラ１６を搭載させてもよい。
【図面の簡単な説明】
【００３１】
【図１】本発明の実施形態にかかる携帯型音楽再生端末のハードウェア構成図である。
【図２】図１に示す携帯型音楽再生装置が実行する処理を示す図である。
【図３】本発明の変形例にかかる携帯型音楽再生端末のハードウェア構成図である。
【符号の説明】
【００３２】
１０…携帯型音楽再生端末、１１…バッテリ、１２…操作子、１３…ＬＣＤ（「表示手段」の一部に相当）、１４…ＬＣＤコントローラ（「表示手段」の一部に相当）、１５…通信インターフェース、１６…カメラ、１７…画像処理モジュール（「輝度特定手段」に相当）、１８…ハードディスク、１９…ＣＰＵ（「再生手段」、「制御手段」に相当）、２０…ＳＤＲＡＭ、２１…ＤＡＣ、２２…アンプ、２３…オーディオ信号インターフェース、２４…ヘッドホン
【図１】
2009003975.tif 000003
【図２】
2009003975.tif 000004
【図３】
2009003975.tif 000005